(57)【要約】非同期網と同期網とが重なっている移動通信システムにおいて、ハンドオーバー成功率を向上させるための方法を開示する。本発明は、上記移動通信端末が現在接続中である非同期移動通信システムのノードＢとの送受信信号の信号強度が指定された値より小さな場合、隣接セル情報を含めて上記非同期移動通信システムにハンドオーバーを要求することによって、上記非同期移動通信システムが上記移動通信端末の非同期モデム部に同期モデム部を駆動するよう指示する段階と；上記非同期移動通信システムがハンドオーバー対象セルを決定した後に、上記同期移動通信システムにハンドオーバーを指示する段階と；上記非同期移動通信システムが上記移動通信端末の非同期モデム部にハンドオーバーを要請することによって、上記移動通信端末の非同期モデム部が上記同期モデム部にトラフィック状態への遷移を要請する段階と；上記移動通信端末が上記同期移動通信システムと接続する段階と；上記非同期移動通信システムが上記移動通信端末との接続を解除する段階と；を含む。
2008502270.tif 000002
【特許請求の範囲】
【請求項１】
非同期移動通信システムと同期移動通信システムとが重なっている移動通信網で、非同期モデム部及び同期モデム部を具備するデュアルバンドデュアルモード移動通信端末のハンドオーバー方法であって、
上記移動通信端末が、現在接続中である非同期移動通信システムのノードＢとの送受信信号の信号強度が指定された値より小さな場合、隣接セル情報を含めて上記非同期移動通信システムにハンドオーバーを要求することによって、上記非同期移動通信システムが上記移動通信端末の非同期モデム部に同期モデム部を駆動するよう指示する第１過程；
上記非同期移動通信システムが、ハンドオーバー可否及びハンドオーバー対象セルを決定した後、上記同期移動通信システムにハンドオーバーを指示する第２過程；
上記非同期移動通信システムが上記移動通信端末の非同期モデム部にハンドオーバーを要請することによって、上記移動通信端末の非同期モデム部が上記同期モデム部にトラフィック状態への遷移を要請する第３過程；
上記移動通信端末が上記同期移動通信システムと接続する第４過程；及び
上記非同期移動通信システムが上記移動通信端末との接続を解除する第５過程；
を含んでなるハンドオーバー方法。
【請求項２】
上記第１過程は、上記非同期移動通信システムの制御により、上記移動通信端末の同期モデム部がオフ状態からスタンバイ状態へ遷移する過程であることを特徴とする請求項１に記載のハンドオーバー方法。
【請求項３】
上記第３過程は、上記非同期移動通信システムの制御により、上記移動通信端末の同期モデム部が上記スタンバイ状態から遊休状態へ遷移する段階と、
上記移動通信端末の同期モデム部が遊休状態からトラフィック状態へ遷移する段階とを含むことを特徴とする請求項２に記載のハンドオーバー方法。
【請求項４】
上記第１過程は、上記非同期移動通信システムの制御により、上記移動通信端末の同期モデム部がオフ状態から遊休状態へ遷移する段階を含むことを特徴とする請求項１に記載のハンドオーバー方法。
【請求項５】
上記第１過程と第２過程との間に、上記非同期移動通信システムが、上記移動通信端末から収集した隣接セル情報を参照して、上記隣接セルが全て非同期移動通信システムと同期移動通信システムとの境界セルである場合に、ハンドオーバーを決定する過程を更に行うことを特徴とする請求項１に記載のハンドオーバー方法。
【請求項６】
上記第１過程と第２過程との間に、上記移動通信端末の非同期モデム部が、上記非同期移動通信システムに対して上記同期モデム部が駆動したことを報告する過程を更に行うことを特徴とする請求項１に記載のハンドオーバー方法。
【請求項７】
非同期移動通信システムと同期移動通信システムとが重なっている移動通信網で、非同期モデム部及び同期モデム部を具備するデュアルバンドデュアルモード移動通信端末のハンドオーバー方法であって、
上記移動通信端末が、現在接続中である非同期移動通信システムのノードＢとの送受信信号の信号強度が指定された値より小さな場合、隣接セル情報を含めて上記非同期移動通信システムにハンドオーバーを要求することによって、上記非同期移動通信システムが上記移動通信端末の非同期モデム部に、上記同期モデム部のオフ状態からスタンバイ状態への遷移を指示する第１過程；
上記非同期移動通信システムがハンドオーバー可否を決定した後、上記非同期モデム部に上記同期モデム部のスタンバイ状態から遊休状態への遷移を指示する第２過程；
上記非同期移動通信システムがハンドオーバー対象セルを決定した後、上記同期移動通信システムにハンドオーバーを指示する第３過程；
上記非同期移動通信システムが上記移動通信端末の非同期モデム部にハンドオーバーを要請することによって、上記移動通信端末の非同期モデム部が上記同期モデム部にトラフィック状態への遷移を要請する第４過程；
上記移動通信端末が上記同期移動通信システムと接続する第５過程；及び
上記非同期移動通信システムが上記移動通信端末との接続を解除する第６過程；
を含んでなるハンドオーバー方法。
【請求項８】
上記第１過程と第２過程との間に、上記非同期移動通信システムが、上記移動通信端末から収集した隣接セル情報を参照して、上記隣接セルが全て非同期移動通信システムと同期移動通信システムとの境界セルである場合に、ハンドオーバーを決定する過程を更に行うことを特徴とする請求項７に記載のハンドオーバー方法。
【請求項９】
上記第１過程と第２過程との間に、上記移動通信端末の非同期モデム部が、上記非同期移動通信システムに対して上記同期モデム部のスタンバイ状態への遷移を報告する過程を更に行うことを特徴とする請求項７に記載のハンドオーバー方法。
【請求項１０】
非同期移動通信システムと同期移動通信システムとが重なっている移動通信網で、非同期モデム部及び同期モデム部を具備するデュアルバンドデュアルモード移動通信端末のハンドオーバー方法であって、
上記移動通信端末が、現在接続中であるセル及び活性セル情報を非同期移動通信システムに報告することによって、上記活性セルに境界セルが含まれている場合、上記非同期移動通信システムが上記移動通信端末の非同期モデム部に同期モデム部の駆動を指示する第１過程；
上記非同期移動通信システムが上記移動通信端末から収集した活性セル情報を参照して、ハンドオーバー可否及びハンドオーバー対象セルを決定した後、上記同期移動通信システムにハンドオーバーを指示する第２過程；
上記非同期移動通信システムが上記移動通信端末の非同期モデム部にハンドオーバーを要請することによって、上記移動通信端末の非同期モデム部が上記同期モデム部にトラフィック状態への遷移を要請する第３過程；
上記移動通信端末が上記同期移動通信システムと接続する第４過程；及び
上記非同期移動通信システムが上記移動通信端末との接続を解除する第５過程；
を含んでなるハンドオーバー方法。
【請求項１１】
上記第１過程は、上記非同期移動通信システムの制御により、上記移動通信端末の同期モデム部がオフ状態からスタンバイ状態へ遷移する過程であることを特徴とする請求項１０に記載のハンドオーバー方法。
【請求項１２】
上記第３過程は、上記非同期移動通信システムの制御により、上記移動通信端末の同期モデム部が上記スタンバイ状態から遊休状態へ遷移する段階と、
上記移動通信端末の同期モデム部が遊休状態からトラフィック状態へ遷移する段階とを含むことを特徴とする請求項１１に記載のハンドオーバー方法。
【請求項１３】
上記第１過程は、上記非同期移動通信システムの制御により、上記移動通信端末の同期モデム部がオフ状態から遊休状態へ遷移する段階を含むことを特徴とする請求項１０に記載のハンドオーバー方法。
【請求項１４】
上記第２過程は、上記活性セルが全て境界セルである場合に、ハンドオーバーを決定する過程であることを特徴とする請求項１０に記載のハンドオーバー方法。
【請求項１５】
上記第１過程と第２過程との間に、上記移動通信端末の非同期モデム部が上記非同期移動通信システムに対して上記同期モデム部が駆動したことを報告する過程を更に行うことを特徴とする請求項１０に記載のハンドオーバー方法。
【請求項１６】
非同期移動通信システムと同期移動通信システムとが重なっている移動通信網で、非同期モデム部及び同期モデム部を具備するデュアルバンドデュアルモード移動通信端末のハンドオーバー方法であって、
上記移動通信端末が現在接続中であるセル及び活性セル情報を非同期移動通信システムに報告することによって、上記活性セルに境界セルが含まれている場合、上記非同期移動通信システムが上記移動通信端末の非同期モデム部に上記同期モデム部のオフ状態からスタンバイ状態への遷移を指示する第１過程；
上記非同期移動通信システムが上記スタンバイ状態の移動通信端末の活性セル情報を参照してハンドオーバー可否を決定した後、上記非同期モデム部に上記同期モデム部のスタンバイ状態から遊休状態への遷移を指示する第２過程；
上記非同期移動通信システムがハンドオーバー対象セルを決定した後、上記同期移動通信システムにハンドオーバーを指示する第３過程；
上記非同期移動通信システムが上記移動通信端末の非同期モデム部にハンドオーバーを要請することによって、上記移動通信端末の非同期モデム部が上記同期モデム部にトラフィック状態への遷移を要請する第４過程；
上記移動通信端末が上記同期移動通信システムと接続する第５過程；及び
上記非同期移動通信システムが上記移動通信端末との接続を解除する第６過程；
を含んでなるハンドオーバー方法。
【請求項１７】
上記第２過程は、上記スタンバイ状態の移動通信端末の活性セルが全て境界セルである場合に、ハンドオーバーを決定することを特徴とする請求項１６に記載のハンドオーバー方法。
【請求項１８】
上記第１過程と第２過程との間に、上記移動通信端末の非同期モデム部が上記非同期移動通信システムに上記同期モデム部のスタンバイ状態への遷移を報告する過程を更に行うことを特徴とする請求項１６に記載のハンドオーバー方法。
【請求項１９】
非同期移動通信システムと同期移動通信システムとが重なっている移動通信網で、非同期モデム部及び同期モデム部を具備するデュアルバンドデュアルモード移動通信端末のハンドオーバー方法であって、上記同期移動通信システムは、上記非同期移動通信システムとの境界地域に上記非同期移動通信システムで使用する周波数と同じ周波数を持つダミーパイロット信号を送出する基地局を具備し、
上記移動通信端末が現在接続中であるセル及び活性セル情報を非同期移動通信システムに報告することによって、上記活性セルに境界セルが含まれている場合、上記非同期移動通信システムが上記移動通信端末の非同期モデム部に同期モデム部の駆動を指示する第１過程；
上記同期モデム部が駆動した移動通信端末と活性セルとの間に送受信される信号の強度の中で上記ダミーパイロット信号を送出するセルとの信号強度が最大である場合、上記非同期移動通信システムがハンドオーバー可否及びハンドオーバー対象セルを決定した後、上記同期移動通信システムにハンドオーバーを指示する第２過程；
上記非同期移動通信システムが上記移動通信端末の非同期モデム部にハンドオーバーを要請することによって、上記移動通信端末の非同期モデム部が上記同期モデム部にトラフィック状態への遷移を要請する第３過程；
上記移動通信端末が上記同期移動通信システムと接続する第４過程；及び
上記非同期移動通信システムが上記移動通信端末との接続を解除する第５過程；
を含んでなるハンドオーバー方法。
【請求項２０】
上記第１過程は、上記非同期移動通信システムの制御により、上記移動通信端末の同期モデム部がオフ状態からスタンバイ状態へ遷移する過程であることを特徴とする請求項１９に記載のハンドオーバー方法。
【請求項２１】
上記第３過程は、上記非同期移動通信システムの制御により、上記移動通信端末の同期モデム部が上記スタンバイ状態から遊休状態へ遷移する段階と、
上記移動通信端末の同期モデム部が遊休状態からトラフィック状態へ遷移する段階を含むことを特徴とする請求項２０に記載のハンドオーバー方法。
【請求項２２】
上記第１過程は、上記非同期移動通信システムの制御により、上記移動通信端末の同期モデム部がオフ状態から遊休状態へ遷移する段階を含むことを特徴とする請求項１９に記載のハンドオーバー方法。
【請求項２３】
上記第１過程と第２過程との間に、上記移動通信端末の非同期モデム部が上記非同期移動通信システムに上記同期モデム部が駆動したことを報告する過程を更に行うことを特徴とする請求項１９に記載のハンドオーバー方法。
【請求項２４】
非同期移動通信システムと同期移動通信システムとが重なっている移動通信網で、非同期モデム部及び同期モデム部を具備するデュアルバンドデュアルモード移動通信端末のハンドオーバー方法であって、上記同期移動通信システムは、上記非同期移動通信システムとの境界地域に上記非同期移動通信システムで使用する周波数と同じ周波数を有するダミーパイロット信号を送出する基地局を具備し、
上記移動通信端末が現在接続中であるセル及び活性セル情報を非同期移動通信システムに報告することによって、上記活性セルに境界セルが含まれている場合、上記非同期移動通信システムが上記移動通信端末の非同期モデム部に上記同期モデム部のオフ状態からスタンバイ状態への遷移を指示する第１過程；
上記同期モデム部がスタンバイ状態に遷移された移動通信端末と活性セルとの間に送受信される信号の強度の中で上記ダミーパイロット信号を送出するセルとの信号強度が最大である場合、上記非同期移動通信システムがハンドオーバー可否を決定した後、上記非同期モデム部に上記同期モデム部のスタンバイ状態から遊休状態への遷移を指示する第２過程；
上記非同期移動通信システムがハンドオーバー対象セルを決定した後、上記同期移動通信システムにハンドオーバーを指示する第３過程；
上記非同期移動通信システムが上記移動通信端末の非同期モデム部にハンドオーバーを要請することによって、上記移動通信端末の非同期モデム部が上記同期モデム部にトラフィック状態への遷移を要請する第４過程；
上記移動通信端末が上記同期移動通信システムと接続する第５過程；及び
上記非同期移動通信システムが上記移動通信端末との接続を解除する第６過程；
を含んでなるハンドオーバー方法。
【請求項２５】
上記第１過程と第２過程との間に、上記移動通信端末の非同期モデム部が上記非同期移動通信システムに、上記同期モデム部がスタンバイ状態に遷移したことを報告する過程を更に行うことを特徴とする請求項２４に記載のハンドオーバー方法。
【請求項２６】
非同期移動通信システムと同期移動通信システムとが重なっている移動通信網で、非同期モデム部及び同期モデム部を具備するデュアルバンドデュアルモード移動通信端末のハンドオーバー方法であって、
上記移動通信端末の隣接セルにおける境界セルの存否を、上記非同期移動通信システムが上記移動通信端末に報告する第１過程；
上記移動通信端末の隣接セルに境界セルが含まれている場合、上記移動通信端末の非同期モデム部がハンドオーバー可否を決定し、上記同期モデム部を駆動して上記同期モデム部の同期獲得情報を上記非同期移動通信システムに報告することによって、上記非同期移動通信システムが上記同期移動通信システムにハンドオーバーを指示する第２過程；
上記非同期移動通信システムが上記移動通信端末の非同期モデム部にハンドオーバーを要請することによって、上記移動通信端末の非同期モデム部が上記同期モデム部にトラフィック状態への遷移を要請する第３過程；
上記移動通信端末が上記同期移動通信システムと接続する第４過程；及び
上記非同期移動通信システムが上記移動通信端末との接続を解除する第５過程；
を含んでなるハンドオーバー方法。
【請求項２７】
上記第２過程で上記同期モデム部を駆動する過程は、上記移動通信端末の同期モデム部がオフ状態からスタンバイ状態へ遷移する段階と、
上記移動通信端末がスタンバイ状態から遊休状態へ遷移する段階を含むことを特徴とする請求項２６に記載のハンドオーバー方法。
【請求項２８】
上記同期獲得情報は、上記移動通信端末の同期モデム部が同期を獲得した上記同期移動通信システム基地局のＰＮオフセット情報であることを特徴とする請求項２６に記載のハンドオーバー方法。
【請求項２９】
上記非同期移動通信システムは、上記移動通信端末の同期モデム部の同期獲得情報を参照して、上記移動通信端末が同期を獲得した基地局にハンドオーバーするように指示することを特徴とする請求項２８に記載のハンドオーバー方法。
【請求項３０】
非同期移動通信システムと同期移動通信システムとが重なっている移動通信網で、非同期モデム部及び同期モデム部を具備するデュアルバンドデュアルモード移動通信端末のハンドオーバー方法であって、
上記非同期移動通信システムが上記移動通信端末の非同期モデム部に無線環境測定制御メッセージを伝送する第１過程；
上記移動通信端末の非同期モデム部が無線環境の測定結果によってハンドオーバー可否を決定し、上記同期モデム部を駆動して、上記無線環境の測定結果に上記同期獲得情報を含めて上記非同期移動通信システムへ報告することによって、上記非同期移動通信システムが上記同期移動通信システムにハンドオーバーを指示する第２過程；
上記非同期移動通信システムが上記移動通信端末の非同期モデム部にハンドオーバーを要請することによって、上記移動通信端末の非同期モデム部が上記同期モデム部にトラフィック状態への遷移を要請する第３過程；
上記移動通信端末が上記同期移動通信システムと接続する第４過程；及び
上記非同期移動通信システムが上記移動通信端末との接続を解除する第５過程；
を含んでなるハンドオーバー方法。
【請求項３１】
上記無線環境測定制御メッセージは、上記移動通信端末のハンドオーバーの条件を含むことを特徴とする請求項３０に記載のハンドオーバー方法。
【請求項３２】
上記第１過程を行う前に、上記非同期網が上記移動通信端末の同期モデム部に上記同期モデムを駆動することを指示して、上記同期モデム部をスタンバイ状態へ遷移させる過程を更に行うことを特徴とする請求項２６に記載のハンドオーバー方法。
【請求項３３】
上記非同期モデム部は、上記移動通信端末の隣接セルが全て境界セルである場合、上記同期モデムの駆動を指示することを特徴とする請求項３２に記載のハンドオーバー方法。
【請求項３４】
上記第２過程は、上記移動通信端末の同期モデム部がスタンバイ状態に遷移した後、上記無線環境を測定し、上記スタンバイ状態の移動通信端末が遊休状態へ遷移して駆動する過程であることを特徴とする請求項３０に記載のハンドオーバー方法。
【発明の詳細な説明】
【技術分野】
【０００１】
本発明は、移動通信網におけるハンドオーバー方法に関するもので、より詳しくは、非同期網と同期網とが重なっている移動通信システムにおいて、移動通信端末のモデム部を制御して非同期網から同期網へのハンドオーバー成功率を向上させるための方法に関するものである。
【背景技術】
【０００２】
広帯域コード分割多重接続（Wideband Code Division Multiple Access；ＷＣＤＭＡ）に代表される非同期移動通信システムは、音声及びデータのための大容量と高いデータ伝送率を提供する代表的な３世帯移動通信技術である。非同期移動通信システムは、高速移動性を支援し、サービス品質に優れ、多量のデータ伝送性能にもまた優れた特性を有する。
【０００３】
このような３世帯移動通信サービスが商用化するに伴い、移動通信システム間のグローバルローミングを支援するために同期方式のシステムと非同期方式のシステムの両方で使用可能な移動通信端末（Multi-Mode Multi-Band移動通信端末）が開発されており、このような移動通信端末を利用することにより、非同期方式システム領域と同期方式システム領域のそれぞれで、各々別の方式のサービスを利用できる。
【０００４】
非同期移動通信システムは同期移動通信システムに比べて多様な利点があるが、網構築に多くの費用が必要なために、現在非同期移動通信システムはサービス要求の多い地域を中心に構築中であり、これに伴い同期方式の移動通信システムは、そのサービス領域が非同期方式システムのサービス領域を含む形態で進化しているが、このような過程で、使用者が非同期移動通信システムと同期移動通信システムとの間を移動する場合にも連続的なサービス提供を可能にするために、システム間ハンドオーバーが必要となっている。
【０００５】
図１は、非同期網から同期網への一般的なハンドオーバー方法を説明するためのフローチャートであり、このハンドオーバー方法は、移動通信端末が隣接セル情報を非同期網に報告し非同期網でハンドオーバーが必要な状況であることを判断することにより同期網にハンドオーバーを指示する過程（Ｓ１０）、非同期網が移動通信端末にハンドオーバーを指示する過程（Ｓ２０）、移動通信端末が非同期モードから同期モードに切り替える過程（Ｓ３０）、移動通信端末が同期モードへの切替を完了した後同期網と接続する過程（Ｓ４０）、及び移動通信端末と非同期網との接続を解除する過程（Ｓ５０）から成る。
【０００６】
具体的に説明すると、非同期移動通信システムのサービスを受けている移動通信端末は、隣接セル（基地局）情報を周期的に測定して非同期網の無線網副システム（ノードＢ／無線網制御機；Radio Network Subsystem）に報告する（Ｓ１０１）。無線網副システムは、移動通信端末の現在位置での無線環境測定値を参照してハンドオーバー可否を判断し、ハンドオーバーが必要な場合は、非同期交換機に対してハンドオーバーが必要であることを報告する（Ｓ１０２）。この時、無線網副システムはハンドオーバーが必要な移動通信端末情報、隣接セル情報などを共に伝送する。
【０００７】
これに伴い、非同期交換機は、無線網副システムから伝送された移動通信端末情報、隣接セル情報などを確認し、その結果、同期移動通信システム領域へのハンドオーバーが必要であると判断されれば、同期交換機にハンドオーバーを要請し（Ｓ１０３）、同期交換機は基地局システム（ＢＴＳ／ＢＳＣ）にハンドオーバーを要請し、これに伴い基地局システムが移動通信端末の同期モデム部に前方向チャンネルを割り当ててハンドオーバーを準備するようになる（Ｓ１０４）。
【０００８】
以後、同期交換機が非同期交換機からのハンドオーバー要請に対する応答メッセージを伝送すると、非同期交換機は無線網副システムを通して移動通信端末の非同期モデム部にハンドオーバーを指示する（Ｓ１０５、Ｓ１０６）。このハンドオーバー指示メッセージには同期移動通信システム関連情報が含まれ、特にチャンネル割当のための情報が含まれる。
【０００９】
無線網副システムからハンドオーバー指示メッセージを受信した移動通信端末の非同期モデム部は、チャンネル割当情報を含むハンドオーバー指示メッセージを同期モデム部に伝送し（Ｓ１０７）、これに従い同期モデム部は同期網との接続のための通信準備過程を行う。すなわち、移動通信端末の同期モデム部はスイッチオン及びウォームアップ過程を通して起動され（Ｓ１０８）、パイロットチャンネル及び同期チャンネルを獲得し（Ｓ１０９、Ｓ１１０）、同期網と同期を合わせて同期網からタイミング情報及びシステム情報などを受信する。これに従い移動通信端末の同期モデム部は遊休状態を経て（Ｓ１１１）、トラフィック状態へ遷移するようになる（Ｓ１１２）。
【００１０】
同期モデム部の駆動が完了してトラフィック状態に遷移した後は、同期モデム部が同期網の基地局システムにハンドオーバーの完了を報告し逆方向フレームを伝送することによって、移動通信端末と同期網との間に接続がなされるようになり（Ｓ１１３）、続いて非同期モデム部と同期モデム部との間のボコーダ切替などモード切替が行われる（Ｓ１１４）。
【００１１】
以後、移動通信端末が同期網の基地局システムにハンドオーバーの完了を報告することに従い、同期交換機が非同期交換機にハンドオーバーの完了を報告して接続の解除を要請する（Ｓ１１５）。ともに、非同期交換機が無線網副システムに移動通信端末との接続を解除することを要請し、無線網副システムが移動通信端末との接続を解除した後、これを非同期交換機に報告（Ｓ１１６）することによりハンドオーバーが完了するようになる。
【００１２】
以上に説明したハンドオーバー方法において、移動通信端末が非同期網と接続している状態では移動通信端末の同期モデム部はオフ状態にある。しかし、移動通信端末が非同期網と同期網との境界地域に位置し同期網へのハンドオーバーを行うべき状況になると同期モデム部をオン状態に切替えなければならないが、この時、移動通信端末の同期モデム部を駆動する時点を移動通信端末が自ら決定するため、移動通信端末とシステムの状態が互いに異なり、ハンドオーバーに失敗することがある。
【００１３】
より具体的に説明すると、マルチモードマルチバンド移動通信端末が非同期移動通信システムのサービスを利用しているうちにハンドオーバーが必要となって、同期移動通信システムとの通信のために同期モデム部を駆動するには１０秒程度の時間が所要となり、非同期移動通信システムとの通話が断絶される前に同期モデム部を駆動しなければならない。仮に非同期移動通信システム領域から完全に離脱するまでに同期モデム部が駆動しなければ、ハンドオーバーがなされず呼断絶となり、同期モデム部が必要以上に早く駆動した場合には、２個のモデム部が同時にオン（on）状態になっていることから、電力消耗が多くなるという短所がある。このように、移動通信システムで同期モデム部の駆動時点が正確に把握できないために、ハンドオーバー時に通話断絶、電力消耗などの問題が発生するようになる。
【００１４】
したがって、マルチモードマルチバンド移動通信端末が具備している二つのモデムをどの時点で駆動しオフにするかを決定することが非常に重要となる。
【発明の開示】
【発明が解決しようとする課題】
【００１５】
本発明は、上述した問題点を解決するために案出されたものであって、その目的は、非同期網から同期網にハンドオーバーするマルチモードマルチバンド移動通信端末のモデム切替時点を移動通信システムで決定し、無線網状況に応じて移動通信端末のモードを適応させることにより、ハンドオーバー成功率を向上させることができるハンドオーバー方法を提供することにある。
【００１６】
また、本発明の目的は、非同期網と同期網との境界地域に進入する全ての移動通信端末の同期モデム部を駆動しておき、同期モデム部が駆動した移動通信端末の活性セルに境界セルが含まれている場合、トラフィック状態に遷移して同期網にハンドオーバーするようにすることで、ハンドオーバー成功率を向上させることができるハンドオーバー方法を提供することにある。
【００１７】
本発明の他の目的は、非同期網と同期網とが混在している移動通信システムにおいて、非同期網と同期網との境界地域に具現された同期基地局から非同期ダミーパイロット信号を送出させ、移動通信端末が境界地域に進入すると、移動通信端末の同期モデム部を駆動させ、駆動した移動通信端末の活性セルとの送受信信号の信号強度の中でダミーパイロット信号を送出する基地局との信号強度がもっとも大きい場合に、移動通信端末を同期網にハンドオーバーさせることで、ハンドオーバー時の移動通信端末の電力消耗を低減させることにある。
【００１８】
本発明のまた他の目的は、非同期網と同期網との境界地域に進入した移動通信端末の同期モデム部を、ハンドオーバーの必要な時点に駆動することにより、移動通信端末の電力消耗を減らすことができるハンドオーバー方法を提供することにある。
【課題を解決するための手段】
【００１９】
上述した目的を達成するために、本発明は次のような構成から成る方法によって達成される。
【００２０】
非同期移動通信システムと同期移動通信システムとが重なっている移動通信網で、非同期モデム部及び同期モデム部を具備するデュアルバンドデュアルモード移動通信端末のハンドオーバー方法であって、上記移動通信端末が、現在接続中である非同期移動通信システムのノードＢとの送受信信号の信号強度が指定された値より小さな場合、隣接セル情報を含めて上記非同期移動通信システムにハンドオーバーを要求することによって、上記非同期移動通信システムが上記移動通信端末の非同期モデム部に同期モデム部を駆動するよう指示する第１過程；上記非同期移動通信システムが、ハンドオーバー可否及びハンドオーバー対象セルを決定した後、上記同期移動通信システムにハンドオーバーを指示する第２過程；上記非同期移動通信システムが上記移動通信端末の非同期モデム部にハンドオーバーを要請することによって、上記移動通信端末の非同期モデム部が上記同期モデム部にトラフィック状態への遷移を要請する第３過程；上記移動通信端末が上記同期移動通信システムと接続する第４過程；及び上記非同期移動通信システムが上記移動通信端末との接続を解除する第５過程；を含む。
【００２１】
非同期移動通信システムと同期移動通信システムとが重なっている移動通信網で、非同期モデム部及び同期モデム部を具備するデュアルバンドデュアルモード移動通信端末のハンドオーバー方法であって、上記移動通信端末が現在接続中であるセル及び活性セル情報を非同期移動通信システムに報告することによって、上記活性セルに境界セルが含まれている場合、上記非同期移動通信システムが上記移動通信端末の非同期モデム部に同期モデム部の駆動を指示する第１過程；上記非同期移動通信システムが上記移動通信端末から収集した活性セル情報を参照して、ハンドオーバー可否及びハンドオーバー対象セルを決定した後、上記同期移動通信システムにハンドオーバーを指示する第２過程；上記非同期移動通信システムが上記移動通信端末の非同期モデム部にハンドオーバーを要請することによって、上記移動通信端末の非同期モデム部が上記同期モデム部にトラフィック状態への遷移を要請する第３過程；上記移動通信端末が上記同期移動通信システムと接続する第４過程；及び非同期移動通信システムが上記移動通信端末との接続を解除する第５過程；を含む。
【００２２】
非同期移動通信システムと同期移動通信システムとが重なっている移動通信網で、非同期モデム部及び同期モデム部を具備するデュアルバンドデュアルモード移動通信端末のハンドオーバー方法であって、上記同期移動通信システムは、上記非同期移動通信システムとの境界地域に上記非同期移動通信システムで使用する周波数と同じ周波数を有するダミーパイロット信号を送出する基地局を具備し、上記移動通信端末が現在接続中であるセル及び活性セル情報を非同期移動通信システムに報告することによって、上記活性セルに境界セルが含まれている場合、上記非同期移動通信システムが上記移動通信端末の非同期モデム部に同期モデム部の駆動を指示する第１過程；上記同期モデム部が駆動した移動通信端末と活性セルとの間に送受信される信号の強度の中で上記ダミーパイロット信号を送出するセルとの信号強度が最大である場合、上記非同期移動通信システムがハンドオーバー可否及びハンドオーバー対象セルを決定した後、上記同期移動通信システムにハンドオーバーを指示する第２過程；上記非同期移動通信システムが上記移動通信端末の非同期モデム部にハンドオーバーを要請することによって、上記移動通信端末の非同期モデム部が上記同期モデム部にトラフィック状態への遷移を要請する第３過程；上記移動通信端末が上記同期移動通信システムと接続する第４過程；及び上記非同期移動通信システムが上記移動通信端末との接続を解除する第５過程；を含む。
【００２３】
非同期移動通信システムと同期移動通信システムとが重なっている移動通信網で、非同期モデム部及び同期モデム部を具備するデュアルバンドデュアルモード移動通信端末のハンドオーバー方法であって、上記移動通信端末の隣接セルに境界セルが存在するかどうかを、上記非同期移動通信システムが上記移動通信端末に報告する第１過程；上記移動通信端末の隣接セルに境界セルが含まれている場合、上記移動通信端末の非同期モデム部がハンドオーバー可否を決定し、上記同期モデム部を駆動して上記同期モデム部の同期獲得情報を上記非同期移動通信システムに報告することによって、上記非同期移動通信システムが上記同期移動通信システムにハンドオーバーを指示する第２過程；上記非同期移動通信システムが上記移動通信端末の非同期モデム部にハンドオーバーを要請することによって、上記移動通信端末の非同期モデム部が上記同期モデム部にトラフィック状態への遷移を要請する第３過程；上記移動通信端末が上記同期移動通信システムと接続する第４過程；及び上記非同期移動通信システムが上記移動通信端末との接続を解除する第５過程；を含む。
【発明を実施するための最良の形態】
【００２４】
以下、添付の図面を参照して、本発明の所望の実施例をより詳細に説明する。
【００２５】
図２は、本発明に適用される移動通信システムの構成図である。
【００２６】
非同期移動通信システム２０は、移動通信端末１０との無線区間通信のための基地局としてのノードＢ２１２、２１４及び複数のノードＢ２１２、２１４を制御するための無線網制御機ＲＮＣ２１６と、無線網制御機２１６に連結されて移動通信端末１０へサービスを提供するための呼交換を行う非同期交換機（非同期ＭＳＣ）２２０と、非同期交換機２２０にＮｏ．７共通信号網２３０を介して連結される短文サービスセンター（ＳＭＳＣ）２４０、インテリジェントネットワーク制御機（ＳＣＰ）２５０及びホーム位置登録機（ＨＬＲ）２６０と、無線網制御機２１６とＧＰＲＳ（General Packet Radio Service）網２８０との間に連結されて移動通信端末１０の位置トラックを維持し、アクセス制御及び保安機能を行うＳＧＳＮ（Serving GPRS Support Node）２７０と、ＳＧＳＮ２７０にＧＰＲＳ（General Packet Radio Service）網２８０を介して連結され、ＩＰ網４０に接続されて外部パケットとの連動を支援するＧＧＳＮ（Gateway GPRS Support Node）２９０とを含んでなる。
【００２７】
ここで、ノードＢ２１２、２１４及び複数のノードＢ２１２、２１４を管理及び制御するために無線資源を管理する無線網制御機２１６を、特に無線網副システム（ＲＮＳ）２１０と称する。
【００２８】
一方、同期移動通信システム３０は、移動通信端末１０との無線区間通信を支援する基地局（ＢＴＳ）３１２、３１４及び複数の基地局３１２、３１４を制御するための基地局制御機（ＢＳＣ）３１６と、一つ以上の基地局制御機３１６に連結されて呼交換を行うための交換機（同期ＭＳＣ）３２０と、交換機３２０にＮｏ．７共通信号網３３０を介して連結される短文サービスセンター（ＳＭＳＣ）３４０、インテリジェントネットワーク制御機（ＳＣＰ）３５０及びホーム位置登録機（ＨＬＲ）３６０と、基地局制御機３１６に接続されて加入者にパケットデータサービスを提供するためのパケットデータサービスノード（ＰＤＳＮ）３７０と、パケットデータサービスノード３７０とＩＰ網４０との間の接続を支援するためのデータコア網（ＤＣＮ）３８０とを含んでなる。
【００２９】
ここで、基地局３１２、３１４及び複数の基地局を管理及び制御する基地局制御機３１６を、特に基地局システム（ＢＳ）３１０と称する。
【００３０】
非同期移動通信システム２０及び同期移動通信システム３０の交換機２２０、３２０は、Ｎｏ．７共通信号網２３０、３３０により相互接続され、移動通信端末１０のハンドオーバーなどに必要な情報を送受信するようになる。また、ホーム位置登録機２６０、３６０は、デュアルスタックホーム位置登録機により具現でき、加入者情報、付加サービス利用状況などを保存して管理し、交換機２２０、３２０の要請に応じて加入者情報を提供する。
【００３１】
合わせて、非同期移動通信システム２０と同期移動通信システム３０との境界地域には、移動通信端末のハンドオーバーを支援するためのハンドオーバー専用基地局システムを構築し得る。この基地局システムは、非同期移動通信システム側からの新規の呼は受け入れずハンドオーバーのためにのみ使われる。移動通信端末がこのハンドオーバー専用基地局に接続した場合、移動通信端末が遊休状態ならば、システム情報ブロック（System Information Block；ＳＩＢ）を通して移動通信端末が境界地域に位置した状態であることが通知され、移動通信端末がトラフィック状態ならば、これが無線環境測定制御メッセージを通して通知される。
【００３２】
また、非同期移動通信システム２０と同期移動通信システム３０との境界地域には、移動通信端末のハンドオーバーを支援するために、非同期ダミーパイロット信号を送出する基地局システム及びこれによるダミーセル領域を構築できる。本発明で、移動通信端末は、非同期移動通信システムと同期移動通信システムとの境界地域に位置した場合には、ダミーパイロット信号を受信し無線リンクを設定して同期モデム部を駆動するようになり、非同期移動通信システム２０は、すべての活性セルと送受信する信号の信号強度の中でダミーパイロット信号を送出する基地局との信号強度がもっとも大きい場合にハンドオーバーを決定して、移動通信端末は同期移動通信システム３０にハンドオーバーする。
【００３３】
図３は、本発明に適用される移動通信端末の構造図である。
【００３４】
同図に示したように、本発明に適用されるマルチモードマルチバンド移動通信端末１０は、同期移動通信サービスのためのモジュール１１０、非同期移動通信サービスのためのモジュール１２０及び共通モジュール１３０を含んで構成され、同期移動通信サービスのための周波数帯域と非同期移動通信サービスのための周波数帯域とが同時に処理可能なアンテナを具備する。
【００３５】
同期モジュール１１０は、それぞれの周波数を区分して処理するバンドパスフィルターとして動作するデュプレクサ１１１、送受信される電波を決まった周波数帯域に分離する同期無線送受信部１１２、及び同期移動通信システムとの無線区間プロトコルを処理する同期モデム部１１３を含み、非同期モジュール１２０は、それぞれの周波数を区分して処理するバンドパスフィルターとして動作するデュプレクサ１２１、送受信される電波を決まった周波数帯域に分離する非同期無線送受信部１２２、及び非同期移動通信システムとの無線区間プロトコルを処理する非同期モデム部１２３を含む。
【００３６】
共通モジュール１３０は、同期モデム部１１３及び非同期モデム部１２３を制御するための中央処理装置として動作してマルチメディア機能を果し、使用者インターフェース、付加サービス、移動性管理、接続／セッション制御、リソース制御、プロトコル処理のためのソフトウェアが搭載される部分であり、メモリー１３１、ディスプレー１３５に情報を表出するためのＬＣＤドライバー１３２、使用者により入力される信号を受信するためのキーパッド１３３、及びスピーカー１３６を通して出力されたりマイク１３７を通して入力される音声信号を変復調するためのコーデック１３４を含む。
【００３７】
本発明の一実施例において、マルチモードマルチバンド移動通信端末は、トラフィック状態で非同期網から隣接セルに境界セルがあることを報告されることによって、自らスタンバイ状態または遊休状態へ遷移して、無線環境を測定しハンドオーバーを行うかどうかを決定して同期網との同期を獲得し、同期獲得の結果、つまり、基地局情報（ＰＮオフセット）を非同期網に伝送して、以後のハンドオーバー手順が行われるように働く。
【００３８】
本発明の他の実施例において、マルチモードマルチバンド移動通信端末は、非同期網の制御によりスタンバイ状態で駆動され、非同期網の要請に応じて無線環境を測定し、無線環境測定値の報告時には同期を獲得した基地局情報（ＰＮオフセット）を共に報告して、以後のハンドオーバー手順が行われるように働く。
【００３９】
移動通信端末の同期モデム部の状態は、オフ状態、スタンバイ（standby）状態、遊休（readyまたはidle）状態及びトラフィック（trafficまたはbusy）状態に分けられ、遊休状態とは、同期網と同期を獲得してオーバーヘッドメッセージの受信のみ可能な状態を意味し、スタンバイ状態とは、移動通信端末が遊休状態へ遷移した後に、モデムの送受信が中断された低電力モード（Low Power Mode）へ再び遷移した状態を意味する。一般的に、移動通信端末の同期モデム部の電源をオン状態にしてからスタンバイ状態へ遷移するには約１０秒程度の時間が所要となり、スタンバイ状態からトラフィック状態へ遷移するには約２秒程度の時間が所要となる。
【００４０】
このように、移動通信端末を駆動するには１０秒以上の時間が必要となるため、移動通信端末の駆動があまりにも早いと電力消耗量が増加し、駆動があまりにも遅いと呼断絶となるので、移動通信端末と移動通信システムとの間の無線環境に応じて移動通信端末の同期モデムの駆動時点を適切に決定することが重要である。
【００４１】
本発明はこのために案出されたいろいろな方案であり、これを下記に説明する。
【００４２】
（第１実施例）
本発明は、移動通信端末が隣接セル情報を測定して移動通信端末と現在接続中であるセルとの送受信信号の信号強度が指定された値より低くなれば、これを非同期網に報告し、これによって非同期網が移動通信端末に同期モデム部を駆動するように指示して、スタンバイ状態または遊休状態へ遷移させた後に、ハンドオーバー対象セルを決定し、移動通信端末にハンドオーバーを指示して、トラフィック状態へ遷移させる方法であり、これを図４及び図５を参照して具体的に下記に説明する。
【００４３】
図４は、本実施例によるハンドオーバー方法を説明するためのフローチャートであり、本実施例によるハンドオーバー方法は、移動通信端末が現在接続中であるセル情報及び隣接セル情報を非同期網に報告することによって（Ｓ３１）、非同期網が移動通信端末に同期モデム部を駆動するように指示する過程（Ｓ３２）、非同期網が、移動通信端末から受信した隣接セル情報を基にハンドオーバーが必要な状況であることを判断し同期網にハンドオーバーを指示する過程（Ｓ１０）、非同期網が移動通信端末にハンドオーバーを指示する過程（Ｓ２０）、移動通信端末の同期モデム部がトラフィック状態へ遷移する過程（Ｓ３３）、移動通信端末が同期モードへの切替を完了した後に同期網と接続する過程（Ｓ４０）、及び移動通信端末と非同期網との接続を解除する過程（Ｓ５０）から成る。
【００４４】
ここで、非同期網が移動通信端末に同期モデム部を駆動するように指示する過程（Ｓ３２）は、移動通信端末にスタンバイ状態へ遷移するように指示する過程または移動通信端末に遊休状態へ遷移するように指示する過程となり得る。Ｓ３２が、移動通信端末にスタンバイ状態へ遷移するように指示する過程である場合、Ｓ３３で移動通信端末は、低電力モードを解除して遊休状態へ遷移する段階及びトラフィック状態へ遷移する段階を行う。一方、Ｓ３２が、移動通信端末に遊休状態へ遷移するように指示する過程である場合、Ｓ３３で移動通信端末は、トラフィック状態へ直接遷移する。
【００４５】
具体的に説明すると、非同期移動通信システムのサービスを受けている移動通信端末は、隣接セル（基地局）情報を周期的に測定して、現在接続中であるノードＢとの送受信信号の強度が指定された値より小さな場合に、無線環境の測定値を非同期網のＲＮＳ２１０に報告する（Ｓ２００）。
【００４６】
これによって、ＲＮＳ２１０は、移動通信端末の非同期モデム部に同期モデム部の駆動を要請し（Ｓ２０２）、これによって非同期モデム部が同期モデム部に駆動命令を伝送して（Ｓ２０４）同期モデム部が駆動され（Ｓ２０５）、同期モデム部がこれを非同期モデム部に報告する（Ｓ２０６）。ここで、非同期モデム部がＲＮＳ２１０に同期モデム部が駆動したことを報告する段階を更に行うこともできる（Ｓ２０７）。
【００４７】
非同期交換機２２０は、非同期モデム部に同期モデム部がスタンバイ状態へ遷移するように指示したり、遊休状態へ遷移するように指示することができる。スタンバイ状態への遷移を指示した場合、同期モデム部は、スイッチオン及びウォームアップ過程を行ってから、パイロットチャンネル及び同期チャンネルを獲得して遊休状態に遷移した後に、低電力モードへ遷移する過程を行う。反面、遊休状態への遷移を指示した場合には、同期モデム部は、スイッチオン及びウォームアップ過程を行ってから、パイロットチャンネル及び同期チャンネルを獲得し同期網との同期を合せてシステム情報を獲得するようになる。
【００４８】
続いて、ＲＮＳ２１０は、移動通信端末から受信した隣接セル情報を参照してハンドオーバーの要・不要を判断し、ハンドオーバーが必要な場合には、非同期交換機２２０にハンドオーバーが必要であることを報告する（Ｓ２０９）。
【００４９】
非同期交換機２２０は、ＲＮＳ２１０から伝送された移動通信端末情報、隣接セル情報、基地局情報などを確認して同期移動通信システム領域へのハンドオーバーが必要であると判断されれば、ハンドオーバー対象セルを決定した後に同期交換機３２０にハンドオーバーを要請する（Ｓ２１０）。すると、同期交換機３２０はＢＳ３１０にハンドオーバーを要請し、これによりＢＳ３１０が移動通信端末の同期モデム部に前方向チャンネルを割り当てて、ハンドオーバーを準備する（Ｓ２１１）。
【００５０】
ＲＮＳ２１０でハンドオーバー可否を決定する時には、移動通信端末から報告された隣接セル情報を参照して、移動通信端末の隣接セル、つまり活性セルが、全て非同期網と同期網との境界地域にある境界セルである場合にハンドオーバーを要請することが望ましい。移動通信端末と無線リンクを設定している活性セルの中に境界セルではないセルが含まれている場合に、ＲＮＳ２１０が非同期交換機２２０にハンドオーバーを要請して以後の過程を進行すると、移動通信端末の同期モデム部が早期に駆動するので、電力消耗が増加する反面、ハンドオーバー性能は優秀になり、従って、無線環境の特性を考慮して、活性セルが全て境界セルである場合や、活性セルに対する境界セルの比率が指定された比率以上である場合に、ハンドオーバーを決定することができる。
【００５１】
続いて、同期交換機３２０が非同期交換機２２０よりのハンドオーバー要請に対する応答メッセージを伝送すると、非同期交換機２２０は、ＲＮＳ２１０を通して移動通信端末の非同期モデム部にハンドオーバーを指示する（Ｓ２１２、Ｓ２１３）。このハンドオーバー指示メッセージには、同期モデム部の遊休状態からトラフィック状態への遷移に必要なシステムパラメーターなどのチャンネル割当情報が含まれる。
【００５２】
ＲＮＳ２１０からハンドオーバー指示メッセージを受信した移動通信端末の非同期モデム部は、同期モデム部にハンドオーバーを指示し（Ｓ２１４）、これによって同期モデム部がトラフィック状態に切替られるが（Ｓ２１５）、段階Ｓ２０２で同期モデム部のスタンバイ状態への遷移が指示された場合には、移動通信端末の同期モデム部が低電力モードを解除し、同期網の基地局と信号を送受信する遊休状態へ遷移した後にトラフィック状態へ遷移するようになり、段階Ｓ２０２で同期モデム部の遊休状態への遷移が指示された場合には、直接トラフィック状態へ遷移するようになる。
【００５３】
以後、同期モデム部が同期網のＢＳ３１０にハンドオーバーが完了したことを報告し逆方向フレームを伝送することによって、移動通信端末と同期網との間に接続がなされる（Ｓ２１６）。このように同期モデム部と同期網とが接続された後は、非同期式ボコーダ（Adaptive Multi-Rate；ＡＭＲ）を同期式ボコーダ（Enhanced Variable Rate Coder；ＥＶＲＣ）に切替えて、ハンドオーバー過程中の黙音区間を最小化させる（Ｓ２１７）。
【００５４】
続いて、同期交換機３２０が非同期交換機２２０にハンドオーバーが完了したことを報告して接続の解除を要請し（Ｓ２１８）、非同期交換機２２０がＲＮＳ２１０に移動通信端末との接続を解除させ、ＲＮＳ２１０が移動通信端末との接続を解除した後に、これを非同期交換機２２０に報告（Ｓ２１９）することによってハンドオーバーが完了するようになる。
【００５５】
上記では、移動通信端末と無線リンクを設定しているセルとの送受信信号の信号強度を周期的に測定して、移動通信端末が現在サービスを受けているセルとの送受信信号が指定された値より小さな場合に、非同期網の制御により移動通信端末の同期モデム部を駆動した後、非同期網がハンドオーバーを決定し、次に、ハンドオーバーを指示することで同期モデム部をトラフィック状態へ遷移させ同期網と接続させるハンドオーバー方法について説明した。ここで、移動通信端末の同期モデム部は、非同期網の要請によってスタンバイ状態または遊休状態に遷移した後、ハンドオーバー指示によってトラフィック状態へ遷移する。
【００５６】
本発明では、移動通信端末の同期モデム部を、非同期網の駆動要請に応じてオフ状態からスタンバイ状態へ遷移させ、非同期網でのハンドオーバーの決定によってスタンバイ状態から遊休状態へ遷移させた後に、非同期網でハンドオーバー可否及びハンドオーバー対象セルを決定し、次に、ハンドオーバーを指示してトラフィック状態へ遷移させることも可能である。これについて図５を参照して下記に説明する。
【００５７】
図５は、本発明の他の実施例によるハンドオーバー方法を説明するためのフローチャートであって、移動通信端末が現在接続中であるセル情報及び隣接セル情報を非同期網に報告することによって（Ｓ３１）、非同期網が移動通信端末に同期モデム部をスタンバイ状態へ遷移するように指示し、非同期網がハンドオーバー可否を決定して、同期モデム部に遊休状態へ遷移するように指示する過程（Ｓ３４）、非同期網が同期網にハンドオーバーを指示する過程（Ｓ１０）、非同期網が移動通信端末にハンドオーバーを指示する過程（Ｓ２０）、移動通信端末の同期モデム部がトラフィック状態へ遷移する過程（Ｓ３５）、移動通信端末が同期モードへの切替を完了した後に同期網と接続する過程（Ｓ４０）、及び移動通信端末と非同期網との接続を解除する過程（Ｓ５０）から成る。
【００５８】
具体的に説明すると、非同期移動通信システムのサービスを受けている移動通信端末は、隣接セル（基地局）情報を周期的に測定して、現在接続中であるノードＢとの送受信信号の強度が指定された値より小さな場合に、無線環境測定値を非同期網のＲＮＳ２１０に報告する（Ｓ３００）。
【００５９】
これによって、ＲＮＳ２１０は、移動通信端末の非同期モデム部に同期モデム部をスタンバイ状態で駆動することを要請し（Ｓ３０２）、これによって非同期モデム部が同期モデム部にスタンバイ状態への遷移を命令して（Ｓ３０３）、同期モデム部がスタンバイ状態になり（Ｓ３０４）、同期モデム部がこれを非同期モデム部に報告する（Ｓ３０５）。ここで、非同期モデム部が非同期交換機３２０に同期モデム部のスタンバイ状態への遷移を報告する段階を追加で行うことも可能である。
【００６０】
続いて、ＲＮＳ２１０は、段階Ｓ３００で移動通信端末の非同期モデム部から伝送された隣接セル情報を参照してハンドオーバー可否を決定した後に（Ｓ３０８）、非同期モデム部に同期モデム部を遊休状態へ遷移することを要請する（Ｓ３０９）。これによって、非同期モデム部が同期モデム部に遊休状態への遷移を命令して（Ｓ３１０）、同期モデム部がスタンバイ状態から遊休状態へ遷移し（Ｓ３１１）、同期モデム部はこれを非同期モデム部に報告する（Ｓ３１２）。次に、非同期モデム部は、同期モデム部が遊休状態に遷移したことをＲＮＳ２１０に報告する（Ｓ３１３）。
【００６１】
ここで、同期モデム部は、オフ状態からスタンバイ状態へ遷移するために、スイッチオン及びウォームアップ過程を経てパイロットチャンネル及び同期チャンネルを獲得した後に低電力モードへの切替過程を遂行し、スタンバイ状態から遊休状態へ遷移するために、低電力モードを解除して同期網と信号を送受信する。
【００６２】
ＲＮＳ２１０でハンドオーバー可否を決定する時には、移動通信端末から報告された隣接セル情報を参照して、移動通信端末の隣接セル、つまり活性セルが、全て非同期網と同期網との境界地域にある境界セルである場合にハンドオーバーを要請することが望ましい。移動通信端末と無線リンクを設定している活性セルの中に境界セルではないセルが含まれている場合に、ＲＮＳ２１０が非同期交換機２２０にハンドオーバーを要請して以後の過程を進行すると、移動通信端末の同期モデム部が早期に駆動するので、電力消耗が増加する反面、ハンドオーバー性能は優秀になり、従って、無線環境の特性を考慮して、活性セルが全て境界セルである場合や、活性セルに対する境界セルの比率がある程度以上の場合にハンドオーバーを決定することができる。
【００６３】
次に、ＲＮＳ２１０は、非同期交換機２２０にハンドオーバーが必要であることを報告するが（Ｓ３１４）、この時、ＲＮＳ２１０は、ハンドオーバーが必要な移動通信端末情報、隣接セル情報などを共に伝送する。非同期交換機２２０は、ＲＮＳ２１０から伝送された移動通信端末情報、隣接セル情報、基地局情報などを確認して、ハンドオーバー対象セルを決定した後に同期交換機３２０にハンドオーバーを要請し（Ｓ３１５）、同期交換機３２０はＢＳ３１０にハンドオーバーを要請し、これによってＢＳ３１０が移動通信端末の同期モデム部に前方向チャンネルを割り当ててハンドオーバーを準備するようになる（Ｓ３１６）。
【００６４】
続いて、同期交換機３２０が非同期交換機２２０よりのハンドオーバー要請に対する応答メッセージを伝送すると、非同期交換機２２０は、ＲＮＳ２１０を通して移動通信端末の非同期モデム部にハンドオーバーを指示する（Ｓ３１７、Ｓ３１８）。また、ＲＮＳ２１０からハンドオーバー指示メッセージを受信した移動通信端末の非同期モデム部は、同期モデム部にハンドオーバーを指示し（Ｓ３１９）、これによって同期モデム部はトラフィック状態へ切替わる（Ｓ３２０）。
【００６５】
以後、同期モデム部が同期網のＢＳ３１０にハンドオーバーの完了を報告し逆方向フレームを伝送することによって、移動通信端末と同期網との間に接続がなされる（Ｓ３２１）。このように同期モデム部と同期網とが接続された後は、非同期式音声コーデック（Adaptive Multi-Rate；ＡＭＲ）を同期式音声コーデック（Enhanced Variable Rate Coder；ＥＶＲＣ）に切替えて、ハンドオーバー過程中の黙音区間を最小化させる（Ｓ３２２）。
【００６６】
移動通信端末の同期モデム部と同期網とが接続された後には、同期交換機３２０が非同期交換機２２０にハンドオーバーが完了したことを報告して接続の解除を要請し（Ｓ３２３）、非同期交換機２２０がＲＮＳ２１０に移動通信端末との接続を解除させ、ＲＮＳ２１０が移動通信端末との接続を解除した後に非同期交換機２２０にこれを報告（Ｓ３２４）することによって、ハンドオーバーが完了するようになる。
【００６７】
本実施例で説明したように、移動通信端末と無線リンクを設定しているセルとの送受信信号の信号強度を周期的に測定して、移動通信端末が現在サービスを受けているセルとの送受信信号が指定された値より小さな場合に、非同期網の制御によって移動通信端末の同期モデム部をオフ状態−スタンバイ状態−遊休状態へと遷移させ、非同期網のハンドオーバー指示に従って同期モデム部をトラフィック状態へ遷移させることによって、ハンドオーバーの必要な時点に同期モデム部を遊休状態で駆動し、ハンドオーバー対象セルが決定された後はトラフィック状態へ遷移して、移動通信端末の電力消耗を減少させることができる。合わせて、同期モデム部の必要に応じて適した時点に駆動することによって、ハンドオーバーに失敗して呼の断絶が発生することを防止できる。
【００６８】
（第２実施例）
また、本発明は、移動通信端末がハンドオーバーセルに進入すると、移動通信端末を駆動させておき、非同期網が移動通信端末のハンドオーバー可否及びハンドオーバー対象セルを決定した後に、移動通信端末をトラフィック状態に切替えて同期網にハンドオーバーさせる方法を提案する。これを図６、７及び８を参照して下記に説明する。
【００６９】
図６は、本発明によるハンドオーバー概念を説明するための図面である。
【００７０】
非同期移動通信システム２０地域のＲＮＳ２１０と接続されてサービスを利用していた端末が、同期移動通信システム３０側に移動して、ハンドオーバーセル領域Ａ、つまり非同期移動通信システム２０地域と同期移動通信システム３０地域との境界地域に進入すると、移動通信端末は、ＲＮＳ２１０と接続されてサービスを受けながら、同期移動通信システム３０のハンドオーバー専用基地局システム（ＢＳ；３１０−１、３１０−２、３１０−３）と無線リンクを設定するようになる。ここで、ハンドオーバー専用基地局システムでカバーされるあるセルを境界セルという。
【００７１】
本発明で、移動通信端末は、現在接続されている基地局情報、及び無線リンクを設定した活性セル関連情報を周期的に測定してＲＮＳ２１０に報告し、ＲＮＳ２１０は、移動通信端末と無線リンクを設定している活性セルに境界セルが含まれていることを確認したら、移動通信端末に、同期モデム部を駆動してスタンバイ状態または遊休状態へ遷移することを要請する。以後、ＲＮＳ２１０は、移動通信端末が駆動した状態で、無線リンクを設定している活性セルが全て境界セルであるかどうかを確認して、活性セルが全て境界セルである場合には、ハンドオーバー可否を決定し非同期網でハンドオーバー対象セルを決定した後に、移動通信端末にトラフィック状態へ遷移することを指示する。
【００７２】
本発明で、移動通信端末と無線リンクを設定している活性セルに境界セルが含まれている場合、ＲＮＳ２１０は移動通信端末が、同期モデム部を駆動してスタンバイ状態へ遷移するようにし、スタンバイ状態にある移動通信端末の活性セルが全て境界セルである場合には、ハンドオーバー可否を決定して移動通信端末を遊休状態へ遷移させ、非同期網でハンドオーバー対象セルを決定することによって、移動通信端末をトラフィック状態へ遷移させることも可能である。
【００７３】
このハンドオーバー方法を、図７及び図８を参照して具体的に下記に説明する。以下の説明で境界セルは、ハンドオーバー専用基地局でカバーされるセルを意味し、ＢＳは、移動通信端末が接続する同期網の基地局システムを意味する。
【００７４】
図７は、本発明の一実施例によるハンドオーバー方法を説明するためのフローチャートであり、このハンドオーバー方法は、移動通信端末が現在接続中であるセル情報及び隣接セル情報を非同期網に報告する過程（Ｓ３１）、非同期網が隣接セル情報を確認して、隣接セルに境界セルが含まれている場合に、移動通信端末に同期モデム部を駆動するように指示する過程（Ｓ３２）、駆動した移動通信端末と無線リンクを設定している活性セルが全て境界セルである場合に、ハンドオーバー可否及びハンドオーバー対象セルを決定して、同期網にハンドオーバーを指示する過程（Ｓ１０）、非同期網が移動通信端末にハンドオーバーを指示する過程（Ｓ２０）、移動通信端末の同期モデム部がトラフィック状態へ遷移する過程（Ｓ３３）、移動通信端末が同期モードへの切替を完了した後に同期網と接続する過程（Ｓ４０）、及び移動通信端末と非同期網との接続を解除する過程（Ｓ５０）から成る。
【００７５】
ここで、非同期網が移動通信端末に同期モデム部を駆動するように指示する過程（Ｓ３２）は、移動通信端末にスタンバイ状態へ遷移するように指示する過程または移動通信端末に遊休状態へ遷移するように指示する過程となり得る。Ｓ３２が、移動通信端末にスタンバイ状態へ遷移するように指示する過程である場合、Ｓ３３で移動通信端末は、低電力モードを解除して遊休状態へ遷移する段階、及びトラフィック状態へ遷移する段階を行う。一方、Ｓ３２が、移動通信端末に遊休状態へ遷移するように指示する過程である場合、Ｓ３３で移動通信端末は、トラフィック状態へ直接遷移する。
【００７６】
具体的に説明すると、非同期移動通信システムのサービスを受けている移動通信端末は、現在接続中であるセル情報及び隣接セル（基地局）情報を周期的に測定して、非同期網のＲＮＳ２１０に報告する（Ｓ２００）。これによって、ＲＮＳ２１０は、移動通信端末と無線リンクを設定している活性セルの中に境界セルが存在するかどうかを確認して（Ｓ２０１）、境界セルが存在する場合は、非同期モデム部に同期モデム部の駆動を要請し（Ｓ２０２）、これによって非同期モデム部が同期モデム部に駆動命令を伝送して（Ｓ２０４）同期モデム部が駆動され（Ｓ２０５）、同期モデム部はこれを非同期モデム部に報告する（Ｓ２０６）。ここで、非同期モデム部がＲＮＳ２１０に対して同期モデム部が駆動したことを報告する段階を更に行うこともできる（Ｓ２０７）。
【００７７】
段階Ｓ２０２において非同期交換機２２０は非同期モデム部に、同期モデム部がスタンバイ状態又は遊休状態へ遷移するように指示することができる。スタンバイ状態への遷移を指示した場合、同期モデム部は、スイッチオン及びウォームアップ過程を行ってから、パイロットチャンネル及び同期チャンネルを獲得して遊休状態に遷移した後に、低電力モードへ遷移する過程を行う。反面、遊休状態への遷移を指示した場合には、同期モデム部は、スイッチオン及びウォームアップ過程を行ってから、パイロットチャンネル及び同期チャンネルを獲得し同期網との同期を合せてシステム情報を獲得するようになる。
【００７８】
続いて、ＲＮＳ２１０は、移動通信端末から受信した隣接セル情報を参照して、段階Ｓ２０５で駆動した移動通信端末の活性セルが全て境界セルであるかどうかを確認し（Ｓ２０８）、活性セルに境界セルが含まれている場合は、ハンドオーバーを決定して非同期交換機２２０にハンドオーバーが必要であることを報告する（Ｓ２０９）。ＲＮＳ２１０でハンドオーバー可否を決定する時には、移動通信端末から報告された隣接セル情報を参照して、移動通信端末の活性セルが全て境界セルである場合に、ハンドオーバーを要請することが望ましい。移動通信端末と無線リンクを設定している活性セルの中に境界セルではないセルが含まれている場合、ＲＮＳ２１０が非同期交換機２２０にハンドオーバーを要請して以後の過程を進行すると、移動通信端末の同期モデム部が早期に駆動するので、電力消耗が増加する反面、ハンドオーバー性能は優秀になり、従って、無線環境の特性を考慮して、活性セルが全て境界セルである場合や、活性セルに対する境界セルの比率が指定された比率以上である場合に、ハンドオーバーを決定することができる。
【００７９】
一方、ハンドオーバーの決定後から完了までの過程は図４に示す実施例の過程と類似しているので、本明細書を明瞭にするために記載しなかった。
【００８０】
本実施例では、移動通信端末が非同期網と同期網との境界地域に進入すると、同期モデム部を一旦駆動させておいて、移動通信端末の無線環境を再確認して、ハンドオーバーが必要な場合に、移動通信端末をトラフィック状態へ遷移させることによって、移動通信端末の電力消耗を減少させることができる。
【００８１】
本発明では移動通信端末の同期モデム部を、非同期網の駆動要請に応じてオフ状態からスタンバイ状態へ遷移させ、非同期網でのハンドオーバー決定によってスタンバイ状態から遊休状態へ遷移させた後に、非同期網でハンドオーバー対象セルを決定し、次に、ハンドオーバーを指示してトラフィック状態へ遷移させることも可能であり、これについて図８を参照して下記に説明する。
【００８２】
図８は、本発明の他の実施例によるハンドオーバー方法を説明するためのフローチャートであって、移動通信端末が現在接続中であるセル情報及び隣接セル情報を非同期網に報告する過程（Ｓ３１）、移動通信端末の活性セルに境界セルが含まれている場合に、非同期網が移動通信端末に同期モデム部をスタンバイ状態へ遷移するように指示して、スタンバイ状態の移動通信端末と無線リンクを設定している活性セルに境界セルが含まれている場合に、非同期網でハンドオーバー可否を決定して同期モデム部を遊休状態へ遷移するように指示する過程（Ｓ３４）、非同期網が同期網にハンドオーバーを指示する過程（Ｓ１０）、非同期網が移動通信端末にハンドオーバーを指示する過程（Ｓ２０）、移動通信端末の同期モデム部がトラフィック状態へ遷移する過程（Ｓ３５）、移動通信端末が同期モードへの切替を完了した後に同期網と接続する過程（Ｓ４０）、及び移動通信端末と非同期網との接続を解除する過程（Ｓ５０）から成る。
【００８３】
具体的に説明すると、非同期移動通信システムのサービスを受けている移動通信端末は、隣接セル（基地局）情報を周期的に測定して非同期網のＲＮＳ２１０に報告する（Ｓ３００）。これによって、ＲＮＳ２１０は、移動通信端末が無線リンクを設定している活性セルに境界セルが含まれているかどうかを確認して（Ｓ３０１）、境界セルが含まれている場合には、移動通信端末の非同期モデム部に対して同期モデム部をスタンバイ状態に駆動することを要請する（Ｓ３０２）。これによって非同期モデム部が同期モデム部にスタンバイ状態への遷移を命令して（Ｓ３０３）同期モデム部がスタンバイ状態になり（Ｓ３０４）、同期モデム部がこれを非同期モデム部に報告する（Ｓ３０５）。ここで、非同期モデム部が非同期交換機３２０に、同期モデム部がスタンバイ状態に遷移したことを報告する段階を追加で行うこともできる。
【００８４】
続いて、ＲＮＳ２１０は、スタンバイ状態に遷移した移動通信端末と無線リンクを設定している活性セルが全て境界セルであるかどうかを確認して（Ｓ３０７）、活性セルに境界セルが含まれている場合にハンドオーバー可否を決定し（Ｓ３０８）、非同期モデム部に同期モデム部を遊休状態へ遷移することを要請する（Ｓ３０９）。これによって非同期モデム部が同期モデム部に遊休状態への遷移を命令して（Ｓ３１０）、同期モデム部がスタンバイ状態から遊休状態へ遷移し（Ｓ３１１）、同期モデム部はこれを非同期モデム部に報告する（Ｓ３１２）。次に、非同期モデム部は、同期モデム部が遊休状態に遷移したことをＲＮＳ２１０に報告する（Ｓ３１３）。
【００８５】
ここで、ＲＮＳ２１０は、移動通信端末の活性セルが全て境界セルである場合にハンドオーバーを決定することが望ましい。移動通信端末と無線リンクを設定している活性セルの中に境界セルではないセルが含まれている場合に、ＲＮＳ２１０が非同期交換機２２０にハンドオーバーを要請して以後の過程を進行すると、移動通信端末の同期モデム部が早期に駆動するので、電力消耗が増加する反面、ハンドオーバー性能は優秀になり、従って、無線環境の特性を考慮して、活性セルが全て境界セルである場合や、活性セルに対する境界セルの比率がある程度以上の場合に、ハンドオーバーを決定することができる。
【００８６】
ここで、ハンドオーバーの決定後から完了までの過程は、図５の実施例の過程と類似しているので、説明を省略する。
【００８７】
本実施例で説明したように、移動通信端末と無線リンクを設定している活性セルに境界セルが含まれている場合に、非同期網が移動通信端末の同期モデム部にスタンバイ状態への遷移を指示し、スタンバイ状態に遷移した移動通信端末の活性セルが全て境界セルである場合に、移動通信端末のハンドオーバーを決定して移動通信端末を遊休状態へ遷移させ、ハンドオーバー対象セルの選択によって移動通信端末をトラフィック状態へ遷移させることにより、ハンドオーバーが必要な時点に同期モデム部を遊休状態で駆動し、ハンドオーバー対象セルが決定されてからトラフィック状態へ遷移するため、移動通信端末の電力消耗を減少させることができる。また、同期モデム部を必要に応じて適した時点に駆動することによって、ハンドオーバーに失敗して呼断絶が発生することを防止できる。
【００８８】
（第３実施例）
本発明の他の形態として、移動通信端末が非同期網と同期網との境界地域に進入すると、移動通信端末を駆動させておき、移動通信端末と全ての活性セルとの信号強度の中で非同期ダミーパイロット信号を送出するセルとの信号強度がもっとも大きい場合に移動通信端末のハンドオーバーを決定し、ハンドオーバー対象セルを決定した後に、移動通信端末をトラフィック状態に切替えて同期網にハンドオーバーする方法を案出した。これを図９を参照して下記に説明する。
【００８９】
図９は、本発明によるハンドオーバー概念を説明するための図面である。
【００９０】
非同期移動通信システム２０地域のＲＮＳ２１０と接続されサービスを利用していた端末が、同期移動通信システム３０側に移動して非同期移動通信システム２０地域と同期移動通信システム３０地域との境界地域Ａに進入すると、移動通信端末１０は、ＲＮＳ２１０と接続されてサービスを受けながら、同期移動通信システム３０の基地局システム（ＢＳ；３１０−１、３１０−２、３１０−３）と無線リンクを設定するようになる。
【００９１】
上記同期移動通信システム３０の基地局システムの中で少なくともいずれか一つ（３１０−２）は、非同期ダミーパイロット信号を送出する基地局システムであり、ダミーパイロット信号は、非同期移動通信システムで使用する周波数と同じ周波数を有するので、非同期モデム部が活性化されている移動通信端末１０は、同期移動通信システム３０の基地局から送出される信号を容易に検索できる。
【００９２】
本発明において、移動通信端末１０が境界地域Ａに位置すると、移動通信端末１０で周期的に測定して報告する隣接セル情報に、活性セルが境界セルであることを示す情報が含まれるようになり、ＲＮＳ２１０はこれを認知して移動通信端末の同期モデム部をスタンバイ状態または遊休状態に駆動させておく。
【００９３】
また、ＲＮＳ２１０は、移動通信端末１０の同期モデム部が駆動した状態において、活性セルと送受信する信号強度の中でダミーパイロット信号を送出する基地局システム（３１０−２）との信号強度が最大になると、ハンドオーバーを決定する。以後、非同期移動通信システム２０はハンドオーバー対象セルを決定した後に、移動通信端末機をトラフィック状態へ遷移させ同期移動通信システム３０にハンドオーバーさせる。
【００９４】
本発明で、移動通信端末１０と無線リンクを設定している活性セルに境界セルが含まれている場合に、ＲＮＳ２１０が移動通信端末１０に同期モデム部を駆動してスタンバイ状態へ遷移させ、スタンバイ状態にある移動通信端末１０が活性セルと送受信する信号強度の中で、ダミーパイロット信号を送出する基地局システム（３１０−２）との信号強度が最大となる場合に、ハンドオーバー可否を決定して、移動通信端末１０を遊休状態へ遷移させ、非同期網でハンドオーバー対象セルを決定することによって移動通信端末をトラフィック状態へ遷移させることもできる。
【００９５】
このハンドオーバー方法についての実施例を、図１０及び図１１を参照して下記に具体的に説明する。
【００９６】
図１０は、本実施例によるハンドオーバー方法を説明するためのフローチャートであって、このハンドオーバー方法は、移動通信端末が現在接続中であるセル情報及び隣接セル情報を非同期網に報告する過程（Ｓ３１）、非同期網で隣接セル情報を確認して、隣接セルに境界セルが含まれている場合に、移動通信端末に同期モデム部の駆動を指示する過程（Ｓ３２）、駆動した移動通信端末と無線リンクを設定しているセルとの信号強度を確認してダミーパイロット信号を送出するセルとの信号強度が最大となる場合に、ハンドオーバー可否を決定する過程（Ｓ３３）、ハンドオーバー対象セルを決定して、同期網にハンドオーバーを指示する過程（Ｓ１０）、非同期網が移動通信端末にハンドオーバーを指示する過程（Ｓ２０）、移動通信端末の同期モデム部がトラフィック状態へ遷移する過程（Ｓ３４）、移動通信端末が同期モードへの切替を完了した後に同期網と接続する過程（Ｓ４０）、及び移動通信端末と非同期網との接続を解除する過程（Ｓ５０）から成る。
【００９７】
本実施例でも他の実施例と同じように、非同期網が移動通信端末に同期モデム部を駆動するように指示する過程（Ｓ３２）は、移動通信端末にスタンバイ状態へ遷移するように指示する過程または移動通信端末に遊休状態へ遷移するように指示する過程となり得る。Ｓ３２が、移動通信端末にスタンバイ状態へ遷移するように指示する過程である場合に、Ｓ３４で移動通信端末は、低電力モードを解除して遊休状態へ遷移する段階、及びトラフィック状態へ遷移する段階を行うようになる。一方、Ｓ３２が移動通信端末に遊休状態へ遷移するように指示する過程である場合に、Ｓ３４で移動通信端末は、トラフィック状態に直接遷移するようになる。
【００９８】
具体的に説明すると、非同期移動通信システムのサービスを受けている移動通信端末は、現在接続中であるセル情報及び隣接セル（基地局）情報を周期的に測定して、非同期網のＲＮＳ２１０に報告する（Ｓ２００）。これによって、ＲＮＳ２１０は、移動通信端末と無線リンクを設定している活性セルの中に境界セルが存在するかどうかを確認して（Ｓ２０１）、境界セルが存在する場合は、非同期モデム部に同期モデム部の駆動を要請し（Ｓ２０２）、これによって非同期モデム部が同期モデム部に駆動命令を伝送して（Ｓ２０３）同期モデム部が駆動し（Ｓ２０４）、同期モデム部はこれを非同期モデム部に報告する（Ｓ２０５）。ここで、非同期モデム部がＲＮＳ２１０に、隣接セル情報を含めて同期モデム部が駆動したことを報告する段階を更に行うこともできる（Ｓ２０６）。
【００９９】
段階Ｓ２０２において、非同期交換機２２０は、非同期モデム部に同期モデム部がスタンバイ状態へ遷移するように指示したり、遊休状態へ遷移するように指示することができる。スタンバイ状態への遷移を指示した場合、同期モデム部は、スイッチオン及びウォームアップ過程を行ってから、パイロットチャンネル及び同期チャンネルを獲得して遊休状態に遷移した後に、低電力モードへ遷移する過程を行う。反面、遊休状態への遷移を指示した場合には、同期モデム部は、スイッチオン及びウォームアップ過程を行ってから、パイロットチャンネル及び同期チャンネルを獲得し同期網との同期を合せてシステム情報を獲得するようになる。
【０１００】
続いて、ＲＮＳ２１０は、移動通信端末から受信した隣接セル情報を参照して、段階Ｓ２０４で駆動した移動通信端末が活性セルと送受信する信号強度の中で、ダミーパイロット信号を送出するセルとの信号強度が最大になると（Ｓ２０７）、ハンドオーバーを決定して（Ｓ２０８）、非同期交換機２２０にハンドオーバーが必要であることを報告する（Ｓ２０９）。
【０１０１】
一方、本実施例でダミーパイロット信号を用いてハンドオーバーが決定されると、その後は前述の実施例と同じ過程を経てハンドオーバーが完了する。
【０１０２】
本発明では、境界地域に進入した移動通信端末の同期モデム部を、非同期網の駆動要請に応じてオフ状態からスタンバイ状態へ遷移させ、スタンバイ状態にある移動通信端末と活性セルとの信号強度の中でダミーパイロット信号を送出するセルとの信号強度が最大の場合に、非同期網でハンドオーバーを決定して、スタンバイ状態から遊休状態へ遷移させた後に、非同期網でハンドオーバー対象セルを決定し、次に、ハンドオーバーを指示して、移動通信端末をトラフィック状態へ遷移させることも可能であり、これについて図１１を参照して下記に説明する。
【０１０３】
図１１は、本発明の他の実施例によるハンドオーバー方法を説明するためのフローチャートであって、移動通信端末が現在接続中であるセル情報及び隣接セル情報を非同期網に報告する過程（Ｓ３１）、移動通信端末の活性セルに境界セルが含まれている場合に、非同期網が移動通信端末に同期モデム部をスタンバイ状態へ遷移するように指示して、スタンバイ状態の移動通信端末と無線リンクを設定している活性セルとの信号強度の中でダミーパイロット信号を送出するセルとの信号強度が最大である場合に、非同期網でハンドオーバー可否を決定して同期モデム部を遊休状態へ遷移するように指示する過程（Ｓ３５）、非同期網が同期網にハンドオーバーを指示する過程（Ｓ１０）、非同期網が移動通信端末にハンドオーバーを指示する過程（Ｓ２０）、移動通信端末の同期モデム部がトラフィック状態へ遷移する過程（Ｓ３６）、移動通信端末が同期モードへの切替を完了した後に同期網と接続する過程（Ｓ４０）、及び移動通信端末と非同期網との接続を解除する過程（Ｓ５０）から成る。
【０１０４】
具体的に説明すると、非同期移動通信システムのサービスを受けている移動通信端末は、隣接セル（基地局）情報を周期的に測定して非同期網のＲＮＳ２１０に報告する（Ｓ３００）。これによって、ＲＮＳ２１０は、移動通信端末と無線リンクを設定している活性セルに境界セルが含まれているかどうかを確認して（Ｓ３０１）、境界セルが含まれている場合には、移動通信端末の非同期モデム部に対して同期モデム部をスタンバイ状態に駆動することを要請する（Ｓ３０２）。これによって非同期モデム部が同期モデム部にスタンバイ状態への遷移を命令して（Ｓ３０３）同期モデム部がスタンバイ状態になり（Ｓ３０４）、同期モデム部がこれを非同期モデム部に報告する（Ｓ３０５）。ここで、非同期モデム部が非同期交換機３２０に、同期モデム部がスタンバイ状態に遷移したことを報告する段階を追加で行うこともできる。
【０１０５】
続いて、ＲＮＳ２１０は、スタンバイ状態に遷移した移動通信端末と無線リンクを設定している活性セルとの信号強度を確認して、ダミーパイロット信号を送出するセルとの信号強度が最大であると確認されれば（Ｓ３０６）、ハンドオーバー可否を決定して（Ｓ３０８）、非同期モデム部に同期モデム部を遊休状態へ遷移することを要請する（Ｓ３０９）。これによって非同期モデム部が同期モデム部に遊休状態への遷移を命令して（Ｓ３１０）、同期モデム部がスタンバイ状態から遊休状態へ遷移し（Ｓ３１１）、同モデム部はこれを非同期モデム部に報告する（Ｓ３１２）。次に、非同期モデム部は同期モデム部が遊休状態に遷移したことをＲＮＳ２１０に報告する（Ｓ３１３）。
【０１０６】
本実施例で、ハンドオーバーが必要であるとの報告をＲＮＳ２１０が受けた後からハンドオーバーが完了するまでの過程は、第１実施例の図５の過程（Ｓ３１４乃至Ｓ３２４）と類似しているので省略した。
【０１０７】
本実施例で説明したように、移動通信端末と無線リンクを設定している活性セルに境界セルが含まれている場合に、非同期網が移動通信端末の同期モデム部にスタンバイ状態へ遷移することを指示し、スタンバイ状態に遷移した移動通信端末と活性セルとの間で送受信される信号強度の中でダミーパイロット信号を送出するセルとの信号強度が最大である場合に、移動通信端末のハンドオーバーを決定して移動通信端末を遊休状態へ遷移させ、ハンドオーバー対象セルの選択によって移動通信端末をトラフィック状態へ遷移させることで、ハンドオーバーの必要な時点に同期モデム部を遊休状態に駆動し、ハンドオーバー対象セルが決定された後は、トラフィック状態へ遷移することによって移動通信端末の電力消耗を減少させることができる。
【０１０８】
（第４実施例）
また、本発明では移動通信端末が非同期網と同期網との境界地域に位置すると、非同期網がこれを移動通信端末に報告し、これによって移動通信端末が自ら駆動してハンドオーバー可否を決定した後に、同期網の同期獲得情報を非同期網に報告して、ハンドオーバーがなされる方法を案出した。
【０１０９】
また、本発明では非同期網が移動通信端末に、無線環境を測定して報告することを要求すると、移動通信端末が自らスタンバイ状態に遷移してハンドオーバー可否を決定し、ハンドオーバーの必要時に遊休状態へ遷移して同期網と同期を獲得し、同期獲得情報を無線環境測定結果と共に非同期網へ報告することでハンドオーバーがなされる。
【０１１０】
このハンドオーバー方法を、図１２及び図１３を参照して具体的に下記に説明する。
図１２は、本実施例によるハンドオーバー方法を説明するためのフローチャートであって、このハンドオーバー方法は、非同期移動通信システムのサービス利用中である移動通信端末が現在接続しているセル情報及び隣接セル情報を非同期網に報告することによって、非同期網が隣接セルに境界セルが含まれているかどうかを移動通信端末に報告する過程（Ｓ３１）、隣接セルに境界セルが含まれている場合に、移動通信端末の非同期モデム部でハンドオーバー可否を決定し、ハンドオーバーが必要ならば同期モデム部を駆動させて同期を獲得する過程（Ｓ３２）、移動通信端末が非同期網に同期モデム部の同期獲得情報を伝送することによって、非同期網が同期網にハンドオーバーを指示する過程（Ｓ１０）、非同期網が移動通信端末にハンドオーバーを指示する過程（Ｓ２０）、移動通信端末の同期モデム部がトラフィック状態へ遷移する過程（Ｓ３３）、移動通信端末が同期モードへの切替を完了した後に同期網と接続する過程（Ｓ４０）、及び移動通信端末と非同期網との接続を解除する過程（Ｓ５０）から成る。
【０１１１】
ここで、移動通信端末の非同期モデム部により同期モデム部が駆動する過程は、同期モデム部がスタンバイ状態に遷移してから遊休状態へ遷移する過程を意味し、同期モデム部の同期獲得情報は、同期移動通信システム基地局のＰＮオフセット情報を意味する。
【０１１２】
具体的に説明すると、非同期移動通信システムのサービスを受けている移動通信端末は、現在接続中であるセル情報及び隣接セル（基地局）情報を周期的に測定して、非同期網のＲＮＳ２１０に報告する（Ｓ２００）。これによって、ＲＮＳ２１０は、移動通信端末と無線リンクを設定している隣接セルの中に境界セルが存在するかどうかを確認して、境界セルの存否を移動通信端末の非同期モデム部に報告する（Ｓ２０１）。
【０１１３】
移動通信端末の隣接セルの中に境界セルが含まれている場合に、非同期モデム部は現在接続中であるセルと送受信される信号の強度を参照して、その強度が指定された閾値より小さな場合にハンドオーバーを決定して（Ｓ２０３）、同期モデム部の駆動を要請する（Ｓ２０４）。
【０１１４】
これによって、同期モデム部がスタンバイ状態を経て遊休状態へ遷移するが（Ｓ２０５）、同期モデム部のオフ状態からスタンバイ状態への遷移は、スイッチオン及びウォームアップ過程と、パイロットチャンネル及び同期チャンネルを獲得して低電力モードへ遷移する過程を含み、スタンバイ状態から遊休状態への遷移は、低電力モードを解除して同期網と信号送受信を再開することを意味する。
【０１１５】
このようにして同期モデム部が駆動されると（Ｓ２０５）、同期モデム部がこれを非同期モデム部に報告するが（Ｓ２０６）、この時には、同期網と同期を獲得した情報、つまり、同期を獲得した基地局のＰＮオフセット情報を共に報告する。以後、非同期モデム部はＲＮＳ２１０に、同期獲得情報（基地局ＰＮオフセット）と共に同期モデムが駆動したことを報告する（Ｓ２０７）。続いて行われる過程は、第１実施例の図４の過程と類似しているので省略する。
【０１１６】
本発明で、非同期網が移動通信端末に無線環境の測定と報告を要請することによって移動通信端末が無線環境を測定し、無線環境の測定結果によってハンドオーバー可否を決定して同期モデム部を駆動し、同期網との同期を獲得した後に、無線環境の測定結果に同期獲得情報を含めて非同期網へ報告することによって、同期を獲得した該当同期網基地局にハンドオーバーを行うことも可能であり、これについて図１３を参照して下記に説明する。
【０１１７】
図１３は、本発明の他の実施例によるハンドオーバー方法を説明するためのフローチャートであり、本実施例において、非同期網が移動通信端末に同期モデムを駆動することを要請する過程（Ｓ３４）、及びこれによって移動通信端末がスタンバイ状態へ遷移する過程（Ｓ３５）は、必須の過程ではないので省略してもかまわない。
【０１１８】
このハンドオーバー方法は、移動通信端末が現在接続中であるセル情報及び隣接セル情報を非同期網に報告することによって、隣接セルに境界セルが含まれている場合に、非同期網が移動通信端末の同期モデム部を駆動するように指示する過程（Ｓ３４）、移動通信端末の同期モデム部がスタンバイ状態へ遷移する過程（Ｓ３５）、非同期網が移動通信端末に無線環境の測定及び報告を要求することによって、移動通信端末が無線環境を測定して、ハンドオーバー可否を決定した後、ハンドオーバーが必要な場合に、遊休状態に遷移して同期網と同期を獲得する過程（Ｓ３６）、移動通信端末の非同期モデム部が非同期網に無線環境の測定結果及び同期獲得情報を報告することによって、非同期網が同期網にハンドオーバーを指示する過程（Ｓ１０）、非同期網が移動通信端末にハンドオーバーを指示する過程（Ｓ２０）、移動通信端末の同期モデム部がトラフィック状態へ遷移する過程（Ｓ３７）、移動通信端末が同期モードへの切替を完了した後に同期網と接続する過程（Ｓ４０）、及び移動通信端末と非同期網との接続を解除する過程（Ｓ５０）から成る。
【０１１９】
具体的に説明すると、非同期移動通信システムのサービスを受けている移動通信端末は、隣接セル（基地局）情報を周期的に測定して非同期網のＲＮＳ２１０に報告する（Ｓ３００）。これによって、ＲＮＳ２１０は、移動通信端末と無線リンクを設定している隣接セルに境界セルが含まれているのか、または隣接セルが全て境界セルであるかどうかを確認して、隣接セルに境界セルが含まれている、または隣接セルが全て境界セルである場合に、移動通信端末の非同期モデム部に同期モデム部をスタンバイ状態に駆動することを要請する（Ｓ３０２）。
【０１２０】
これによって、非同期モデム部が同期モデム部にスタンバイ状態への遷移を命令して（Ｓ３０３）同期モデム部がスタンバイ状態になり（Ｓ３０４）、同期モデム部がこれを非同期モデム部に報告する（Ｓ３０５）。このような同期モデム部の遷移結果を非同期モデム部が非同期交換機３２０に報告する段階を追加で行うことも可能である。
【０１２１】
続いて、ＲＮＳ２１０は、移動通信端末の非同期モデム部に無線環境測定制御（Measurement Control）メッセージを伝送するが（Ｓ３０６）、この無線環境測定制御メッセージには同期網を検索するための条件、すなわち、非同期網の信号強度、または特定イベントが発生した場合に同期網を検索するように指示する条件が含まれる。合わせて、無線環境測定制御メッセージには、移動通信端末が測定すべき対象、測定値の範囲、測定周期、報告方法などが含まれていて、測定対象は測定ＩＤにより区分される。
【０１２２】
ＲＮＳ２１０から無線環境測定制御メッセージを受信した非同期モデム部は、現在接続中であるノードＢとの信号強度を測定して（Ｓ３０７）、信号強度が指定された閾値より小さな場合にハンドオーバーが必要であると決定し（Ｓ３０８）、同期モデム部に遊休状態への遷移を要請する（Ｓ３１０）。これによって、同期モデム部が同期網からパイロットチャンネル及び同期チャンネルを獲得して遊休状態に遷移し（Ｓ３１１）、同期獲得情報（すなわち、基地局ＰＮオフセット）を非同期モデム部に伝送して（Ｓ３１２）、非同期モデム部は、同期モデム部から受信した同期獲得情報を無線環境測定結果と共にＲＮＳ２１０に伝送する（Ｓ３１３）。この時、過程Ｓ３４及びＳ３５を省略した場合には、非同期モデム部が無線環境を測定する段階（Ｓ３０７）を行う前に、非同期モデム部が同期モデム部にスタンバイ状態への遷移を要請して、移動通信端末がスタンバイ状態へ遷移する過程を更に行うことが望ましい。一方、続いて行われる過程もまた第１実施例の図５の過程と類似しているので省略する。
【０１２３】
本実施例で説明したように、非同期網が移動通信端末に無線環境測定制御メッセージを伝送することによって、移動通信端末の非同期モデム部で無線環境測定結果を参照してハンドオーバー可否を決定し、ハンドオーバーが必要な場合に、同期網との同期を獲得して、移動通信端末が非同期網に無線環境の測定結果と共に同期獲得情報を報告することによって、移動通信端末は同期網にハンドオーバーする。この場合、移動通信端末でハンドオーバーが必要であると決定した後に同期網との同期を獲得するので、同期モデム部を適切な時点に駆動することが可能となり、移動通信端末の電力消耗を減少させることができる。合わせて、同期モデム部を必要に応じて適した時点に駆動することによって、ハンドオーバーに失敗して呼断絶が発生することも防止できる。
【０１２４】
本発明の属する技術分野における当業者には、本発明がその技術的思想や必須的特徴を変更することなく、他の具体的な形態で実施可能であることを理解できるであろう。従って、以上に記述の実施例は、あらゆる面で例示的なものであり、限定的なものではないと理解されなければならない。本発明の範囲は、上記の詳細な説明よりは後述の特許請求の範囲によって示され、特許請求の範囲の意味及び範囲、そしてその等価概念から導き出される、あらゆる変更または変形された形態が本発明の範囲に含まれるものと解釈されなければならない。
【図面の簡単な説明】
【０１２５】
【図１】非同期網から同期網への一般的なハンドオーバー方法を説明するためのフローチャートである。
【図２】本発明に適用される移動通信システムの構成図である。
【図３】本発明に適用される移動通信端末の構造図である。
【図４】本発明の第１実施例によるハンドオーバー方法を説明するためのフローチャートである。
【図５】本発明の第１実施例によるハンドオーバー方法を説明するためのフローチャートである。
【図６】本発明の第２実施例によるハンドオーバー概念を説明するための図面である。
【図７】本発明の第２実施例によるハンドオーバー方法を説明するためのフローチャートである。
【図８】本発明の第２実施例によるハンドオーバー方法を説明するためのフローチャートである。
【図９】本発明の第３実施例によるハンドオーバー概念を説明するための図面である。
【図１０】本発明の第３実施例によるハンドオーバー方法を説明するためのフローチャートである。
【図１１】本発明の第３実施例によるハンドオーバー方法を説明するためのフローチャートである。
【図１２】本発明の第４実施例によるハンドオーバー方法を説明するためのフローチャートである。
【図１３】本発明の第４実施例によるハンドオーバー方法を説明するためのフローチャートである。
【図１】
2008502270.tif 000003
【図２】
2008502270.tif 000004
【図３】
2008502270.tif 000005
【図４】
2008502270.tif 000006
【図５】
2008502270.tif 000007
【図６】
2008502270.tif 000008
【図７】
2008502270.tif 000009
【図８】
2008502270.tif 000010
【図９】
2008502270.tif 000011
【図１０】
2008502270.tif 000012
【図１１】
2008502270.tif 000013
【図１２】
2008502270.tif 000014
【図１３】
2008502270.tif 000015
【国際調査報告】
2008502270.tif 000016
2008502270.tif 000017